(57)【特許請求の範囲】
【請求項１】
被検眼を照明する光源の発光光量を積分する積分部と、
前記光源の発光光量を決定する光量決定部と、
前記積分部による積分値と第１基準値とを比較する比較部と、
前記比較部による比較の結果、前記積分値が前記第１基準値を超える度に前記積分値を初期化する初期化部とを備え、
前記第１基準値は、決定された発光光量に基いて設定され、前記積分値の初期化を繰り返す積分回数に対応していることを特徴とする眼科装置。
【請求項２】
前記光源の発光を制御する発光制御部を更にそなえ、
前記比較部は、前記積分部による積分回数が所定回数となった場合、前記積分部による積分値と前記決定された発光光量とに基き、前記所定回数に対応して設定された第２基準値とを比較し、
前記発光制御部は、前記比較部による比較の結果、前記積分部による積分値が前記第２基準値を超えると前記光源の発光を停止させることを特徴とする請求項１記載の眼科装置。
【請求項３】
前記光量決定部を含み、前記積分部及び前記比較部を制御する制御部を有し、
前記第１基準値は、前記制御部により制御されるＤ／Ａコンバータの前記比較部への出力電圧であることを特徴とする請求項１又は２記載の眼科装置。
【請求項４】
前記所定回数は、前記決定された発光光量と前記第１基準値とに基いて、前記積分部が行うべき積分の回数から１を減算した値であり、
前記第２基準値は、前記決定された発光光量に対応する積分値から前記所定回数の積分値の総和を差し引いた余りの値であり、
前記積分回数が前記所定回数未満の場合、前記第１基準値を生成するとともに、前記積分部による積分回数が前記所定回数となった場合、前記第２基準値を生成する基準値生成部を備えたことを特徴とする請求項２に記載の眼科装置。
【請求項５】
前記積分部は、前記光源の発光光量に応じて電流を生成するフォトダイオードを有し、
前記フォトダイオードは、前記光源の光軸上であって、前記光源から前記被検眼へ向かう側とは逆側に配置されていることを特徴とする請求項１〜４のいずれか１項に記載の眼科装置。
【発明の詳細な説明】
【技術分野】
【０００１】
本件は眼科装置に関する。
【背景技術】
【０００２】
従来の眼底カメラなどの眼科装置では被検眼の眼底を撮影するための光源にキセノン管等の光源を使用している。光源は一般的に経時変化により劣化するため、常に同じタイミングで光源の発光を停止しても撮影光量は変化してしまう。
そこで撮影光量を制御するために被検眼からの反射光をフォトダイオード等の受光素子でモニターし、受光素子の出力をオペアンプとコンデンサとを備える積分回路により積分を行う。そして、積分回路の出力と基準電圧とを比較し基準電圧より積分回路の出力電圧が大きくなった場合に発光を停止させることで撮影光量を制御することが知られている。
また、基準電圧を変更することで、撮影に使用するフィルムの感度や撮影部位による検者の好みに合わせて撮影光量の変更を行うことが知られている。（特許文献１参照）。
【先行技術文献】
【特許文献】
【０００３】
【特許文献１】特開昭６０−１９０９３０号公報
【発明の概要】
【発明が解決しようとする課題】
【０００４】
しかしながら、基準電圧の取り得る範囲は基準電圧を生成する回路の電源電圧等により制限される。例えば、高光量が必要な撮影において積分回路の出力が２０Ｖとなった時に光源の発光を停止させたい場合、基準電圧の取り得る範囲が０〜５Ｖであったとすると、積分回路の出力が５Ｖを超えた時点で光源の発光が停止されることとなり、光量調整ができない。なお、上記の例では理解を容易にするため積分回路の電源電圧は無視した。
このように、基準電圧と積分回路の出力との関係によって光量調整が出来なくなるという課題がある。
本件の目的の一つは、基準電圧と積分回路の出力との関係よらず光量調整を可能にすることである。
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【０００５】
本発明の眼科装置は、被検眼を照明する光源の発光光量を積分する積分部と、前記光源の発光光量を決定する光量決定部と、前記積分部による積分値と第１基準値とを比較する比較部と、前記比較部による比較の結果、前記積分値が前記第１基準値を超える度に前記積分値を初期化する初期化部とを備え、前記第１基準値は、決定された発光光量に基いて設定され、前記積分値の初期化を繰り返す積分回数に対応していることを特徴とする。
【発明の効果】
【０００６】
本件によれば、基準電圧と積分回路の出力との関係よらず光量調整を可能とする。
【図面の簡単な説明】
【０００７】
【図１】眼底カメラの構成の一例を示す図である。
【図２】キセノン管駆動回路と光量検出部の電気回路の一例を示す図である。
【図３】ＣＰＵの機能の一例を模式的に示す図である。
【図４】発光光量と積分回路出力電圧及びＤ／Ａ値の関係のテーブルの一例を示す図である。
【図５】光量検出部の動作の一例を説明するためのフローチャートである。
【図６】発光開始から発光停止までの一例を示したタイミングチャートである。
【図７】リセット基準値と発光停止基準値を同一にした場合の発光開始から発光停止
【図８】発光光量と積分回路の出力電圧の関係の一例を示す図である。
【発明を実施するための形態】
【０００８】
以下、図１〜図８を参照して本眼科装置に係る実施の形態を説明する。
【０００９】
図１は実施例における眼底カメラ（眼科装置）の構成の一例を示している。赤外観察用光源の赤外ＬＥＤ（Ｌｉｇｈｔ  Ｅｍｉｔｔｉｎｇ  Ｄｉｏｄｅ）１から対物レンズ１０に至る光路上には、リング状の開口を有する絞り２，赤外光を透過し可視光を反射するダイクロイックミラー５，リレーレンズ６、ミラー７、リレーレンズ８および孔あきミラー９が順に配列されている。
【００１０】
また、可視光を発光する撮影用光源であるキセノン管３から対物レンズ１０に至る光路上には、リング状の開口を有する絞り４，ダイクロイックミラー５，リレーレンズ６，ミラー７，リレーレンズ８および孔あきミラー９が順に配列されている。リレーレンズ６、ミラー７、リレーレンズ８および孔あきミラー９は眼底照明光学系Ｏ１を構成する。
【００１１】
さらに、絞り４とダイクロイックミラー５との間には自発蛍光撮影用の励起フィルター４８が配置されており不図示の駆動系により光軸外に退避可能でカラー撮影時は光軸外に退避させる。
【００１２】
ミラー７の反射方向には、絞り１１、レンズ１２、合焦用指標１３および合焦用指標光源である赤外ＬＥＤ１４が配置されており、合焦用指標投影光学系Ｏ３を構成する。
【００１３】
また、合焦用指標投影光学系Ｏ３は、合焦レンズ１５と連動して光軸方向（図中Ａの方向）へ動く。静止画撮影時には、不図示の駆動系により光軸から外れる方向（図中Ｂの方向）へ動き照明光学系Ｏ１上から退避される。
【００１４】
孔あきミラー９の透過方向の光路上には、合焦レンズ１５、撮影レンズ１６、撮像手段１７が配列され眼底撮影光学系Ｏ２を構成しており撮像手段１７の出力は画像信号処理部１９、表示部２０へ順次接続されている。孔あきミラー９には光ファイバ２１を通じて位置合わせ指標用光源である赤外ＬＥＤ２２が接続されている。孔あきミラー９と合焦レンズ１５の間には自発蛍光撮影用の阻止フィルター４９が配置されており不図示の駆動系により光軸外に退避可能となっており、カラー撮影時には阻止フィルター４９は光軸外に退避させられる。
【００１５】
また、撮像手段１７の各画素上にはＲ（赤）、Ｇ（緑）、Ｂ（青）の３色のモザイク状に配置されたフィルター１８が配置されておりＲのフィルターは赤外光を透過可能である。各画素はＲ、Ｇ、Ｂのいずれかの光に感度を有し、さらにＲの画素は赤外光にも感度を有する。
【００１６】
赤外観察時は画像信号処理部１９はＲの画素の出力を用いてモノクロの動画データを生成し表示部２０に動画を出力する。またカラー静止画撮影時は画像信号処理部１９はＲ、Ｇ、Ｂの各画素の出力を用いてカラー静止画を生成する。さらに、自発蛍光撮影時は画像信号処理部１９はＲ、Ｇ、Ｂの各画素の出力を用いて所定の画像処理によりモノクロ静止画を生成する。生成された画像はＣＰＵ（Ｃｅｎｔｒａｌ  Ｐｒｏｃｅｓｓｉｎｇ  Ｕｎｉｔ）２９を介して記録部３１に記録される。
【００１７】
赤外ＬＥＤ１はＬＥＤ駆動回路２３へ、撮影用のキセノン管３はキセノン管駆動回路２４へ、赤外発光ＬＥＤ１４はＬＥＤ駆動回路２５へ、赤外ＬＥＤ２２はＬＥＤ駆動回路２６へとそれぞれ接続されている。ＬＥＤ駆動回路２３、キセノン管駆動回路２４、ＬＥＤ駆動回路２５、ＬＥＤ駆動回路２６、光量検出部２８、撮像手段１７、画像信号処理部１９、操作部３０および記録部３１はそれぞれＣＰＵ２９へ接続されている。
【００１８】
ＬＥＤ駆動回路２３は、ＣＰＵ２９の指示に基づいて赤外ＬＥＤ１を駆動制御する。また、キセノン管駆動回路２４は、ＣＰＵ２９の指示に基づいてキセノン管３を駆動制御する。さらに、ＬＥＤ駆動回路２５は、ＣＰＵ２９の指示に基づいて赤外発光ＬＥＤ１４を駆動制御する。また、ＬＥＤ駆動回路２６は、ＣＰＵ２９の指示に基づいて赤外ＬＥＤ２２を駆動制御する。
【００１９】
キセノン管３の後方には、光量検出部２８が配置され、絞り２７を通じてキセノン管３からの発光光束の一部が受光可能となっている。具体的には、光量検出部２８は、キセノン管３から射出された光が被検眼Ｅへ向かう光軸方向とは反対側の光軸上に設けられている。光量検出部２８はキセノン管３から射出される光量を検出する。なお、絞り２７はキセノン管３の光軸上に光を透過可能な透過部をそなえている。また、絞りの透過部以外の部分は、例えば、キセノン管３から被検眼方向とは反対側に射出された光を被検眼方向へ向けて反射するように構成される。例えば、絞り２７は光を反射するためにアルミ等が蒸着される。
【００２０】
図２はキセノン管駆動回路２４と光量検出部２８の電気回路の構成の一例を示す図である。キセノン管駆動回路２４は、ＩＧＢＴ（Ｉｎｓｕｌａｔｅｄ  Ｇａｔｅ  Ｂｉｐｏｌａｒ  Ｔｒａｎｓｉｓｔｏｒ）３２，トリガートランス３３，トリガー用コンデンサ３４，メインコンデンサ３５，電源３６，抵抗３７を備える。メインコンデンサ３５は電源３６により高電圧（例えば３００Ｖ）に充電されている。また、トリガー用コンデンサ３４も電源３６により抵抗３７を通じて充電されている。
【００２１】
ＣＰＵ２９がキセノン管３の発光を制御する制御信号であるＸｅ＿ＯＮ信号をＨｉ（ハイレベル）にするとＩＧＢＴ３２がＯＮし、すなわちＩＧＢＴ３２が導通状態となりトリガー用コンデンサ３４の電荷が放電される。この電荷の放電によりトリガートランス３３の左側の巻線に電流が流れる。トリガートランス３３の左側の巻線に電流が流れることでトリガートランス３３の右側の巻線に高電圧が発生しキセノン管３にトリガーがかかり、メインコンデンサ３５からキセノン管３に電流が流れる。キセノン管３に電流が流れることでキセノン管３の発光が開始される。発光開始後、ＣＰＵ２９がＸｅ＿ＯＮ信号をＬｏｗ（ローレベル）にするとＩＧＢＴ３２がＯＦＦし、すなわちＩＧＢＴ３２が非導通状態となり、キセノン管３への電流が遮断され発光が停止する。
【００２２】
このように、ＣＰＵ２９はキセノン管３の発光を制御する。より具体的には、ＣＰＵ２９から送られる制御信号に基づいてキセノン管駆動回路２４は、ＣＰＵ２９の発光を制御する。
【００２３】
光量検出部２８は積分回路４１，リセット抵抗４３，アナログスイッチ４４，コンパレータ４６およびＤ／Ａコンバータ４７を備える。この積分回路４１は、フォトダイオード３９，積分コンデンサ４０およびオペアンプ４５を備える。
【００２４】
積分回路４１は、キセノン管３の光量に応じた（例えば比例した）フォトダイオード３９に流れる光電流によって積分コンデンサ４０が充電されることで、キセノン管３の光量に応じた（例えば比例した）電圧を出力する。すなわち、積分回路４１はフォトダイオード３９の電流を積分する。また、言い換えれば、積分回路４１はキセノン管３の発光光量を積分する。つまり、積分回路４１は被検眼を照明する光源の発光光量を積分する積分部の一例に相当する。
【００２５】
また、ＣＰＵ２９が例えば、Ｈｉの信号をアナログスイッチ４４に出力することでアナログスイッチ４４をＯＮにするとリセット抵抗４３を通じて積分コンデンサ４０の電荷をリセットすることができる。なおリセット抵抗４３を設けないこととしてもよい。また、アナログスイッチは例えばＭＯＳスイッチ等である。
【００２６】
さらに、フォトダイオード３９はキセノン管３の光軸上かつキセノン管３から被検眼Ｅへ向かう方向とは逆方向に備えられている。すなわち、フォトダイオード３９は、光源の光軸上かつ光源から被検眼へ向かう方向とは逆方向に備えられたフォトダイオードの一例に相当する。ここで、キセノン管３は被検眼Ｅを照明するために最適化されており、光源光軸以外の光量は不安定となっている。そのため、上述のようにフォトダイオード３９を配置することで、キセノン管３の光軸上で光量を検出することができるため、安定的に光量を検出可能となる。
【００２７】
Ｄ／Ａコンバータ４７はＣＰＵ２９の制御に基づいて、キセノン管３の発光を停止する際に積分回路４１の出力と比較される基準電圧と、積分コンデンサ４０をリセットする際に積分回路４１の出力と比較される基準電圧を選択的に出力する。具体的には、Ｄ／Ａコンバータ４７は入力されたＤ／Ａ値に応じた電圧を基準電圧として出力する。ここで、キセノン管３の発光を停止する基準電圧を出力させるために、Ｄ／Ａコンバータ４７に入力するＤ／Ａ値を停止Ｄ／Ａ値と呼ぶ場合がある。また、積分コンデンサ４０をリセットする基準電圧を出力させるために、Ｄ／Ａコンバータ４７に入力するＤ／Ａ値をリセットＤ／Ａ値と呼ぶ場合がある。ここで、リセットＤ／Ａ値およびリセットＤ／Ａ値に応じたＤ／Ａコンバータ４７の出力電圧は第１基準値の一例に相当する。また、停止Ｄ／Ａ値および停止Ｄ／Ａ値に応じたＤ／Ａコンバータ４７の出力電圧は第２基準値の一例に相当する。さらに、Ｄ／Ａコンバータ４７は積分部による積分回数が所定回数未満の場合、第１基準値を生成するとともに、積分部による積分回数が所定回数となった場合、第２基準値を生成する基準値生成部の一例に相当する。
【００２８】
なお、Ｄ／Ａコンバータ４７の出力はオペアンプ４５の出力とともにコンパレータ４６の入力に接続されており、積分回路４１の出力電圧とＤ／Ａコンバータ４７の出力電圧との比較がコンパレータ４６により行われる。すなわち、コンパレータ４６は積分部による積分値と第１基準値とを比較する比較部の一例に相当する。また、コンパレータ４６は積分部による積分値と第２基準値とを比較する比較部の一例に相当する。
【００２９】
コンパレータ４６は、積分回路４１の出力電圧とＤ／Ａコンバータ４７の出力電圧とが入力される。コンパレータ４６の出力はＣＰＵ２９に接続させており、積分回路の出力電圧がＤ／Ａコンバータ４７の出力電圧より低い場合はコンパレータ４６からは例えば、Ｈｉが出力される。また、積分回路４１の出力電圧がＤ／Ａコンバータ４７の出力電圧より大きい場合はコンパレータ４６からは例えば、Ｌｏｗが出力される。コンパレータ４６から出力される電圧は、積分回路４１の出力電圧がＤ／Ａコンバータ４７の出力電圧より低い場合にＬｏｗ、積分回路４１の出力電圧がＤ／Ａコンバータ４７の出力電圧より大きい場合にＨｉであってもよい。
【００３０】
図３はＣＰＵ２９の機能を模式的に示す図である。ＣＰＵ２９は、図示しないメモリ等に記録されたプログラムを実行することにより、光量決定部５１，Ｄ／Ａ値決定部５２，積分回数決定部５３，積分回数計数部５４，リセットＤ／Ａ値設定部５５，停止Ｄ／Ａ値設定部５６，発光制御部５７，比較部５８およびリセット制御部５９として機能する。
【００３１】
光量決定部５１は操作部３０を介して入力された撮影モードに基づいてキセノン管３の発光光量を決定する。言い換えれば光量決定部５１は撮影モードに基づいてキセノン管３が被検眼Ｅに照射する光量を決定する。また、光量決定部５１は撮影モードおよび光量調整値に基づいてキセノン管３が被検眼Ｅに照射する光量を決定する。ここで、撮影モードとは例えば、自発蛍光撮影やカラー撮影等のモードである。具体的には、光量決定部５１は撮影モードと必要な光量とが対応付けられたテーブルに基づいて光量を決定する。
【００３２】
このテーブルの一例を図４に示す。図４は撮影モードと各撮影モードに必要な光量とが対応付けられている。図４において光量の単位を「段」で記載している。ここで、「段」とは０段の時の光量を基準として１段光量を増加すると基準光量の２倍となることを示している。また、光量を１段下げると基準光量の１／２になることを示している。以後、光量の単位を「段」として本件を説明する。なお、図４に示す例ではカラー撮影時の最大光量を０段としている。
【００３３】
具体的に図４に示すテーブルの説明を行う。図４に示すテーブルは、光量調整が１／２段ずつ行われる際のキセノン管３の発光光量と積分回路４１の出力電圧とＤ／Ａコンバータ４７に入力する信号の値である基準Ｄ／Ａ値と撮影モードとが対応付けられている。
【００３４】
なお、図４に示すテーブルは、Ｄ／Ａコンバータ４７の出力電圧範囲が０〜５Ｖで入力信号が８ｂｉｔの場合、すなわち、基準Ｄ／Ａ値が２５５のとき５Ｖを出力するＤ／Ａコンバータ４７を用いる場合のものである。ここで、基準Ｄ／Ａ値はＤ／Ａコンバータ４７に入力されるデジタル値である。Ｄ／Ａコンバータ４７の出力が電源電圧等により制限されない理想的なＤ／Ａコンバータである場合、図４に示す基準Ｄ／Ａ値が入力されると図４に示されている基準Ｄ／Ａ値に対応する積分回路出力電圧がＤ／Ａコンバータ４７から出力される。例えば、Ｄ／Ａコンバータ４７は基準Ｄ／Ａ値が１０２０の時２０Ｖを出力する。また、基準Ｄ／Ａ値は図４に示す値に限定されるものではない。
【００３５】
なお、テーブルは図４に示すテーブルに限定されるものではない。例えば、光量の刻みを１／２段ではなく、より細かく若しくはより粗く光量の刻みを設けてもよい。例えば、光量の刻みを１／４段若しくは１段としてもよい。また、図４に示すテーブルではカラー撮影時の最大光量を０段としているがこれに限定されるものではなく標準のカラー撮影時の光量を０段とする等、他の場合の光量を０段としてもよい。
【００３６】
また、図４に示すテーブルには、光量に応じた積分回路４１の出力電圧を表す積分回路出力電圧が含まれているが、これに限定されるものではなくテーブルは積分回路出力電圧を含まないこととしてもよい。さらに、図４に示すテーブルでは光量の単位を「段」で示しているが、これに限定されるものではなく他の単位を用いてもよい。また、図４に示す例では光量を１段上げると光量は２倍となるとしたが、これに限定されるものではなく、光量が１段上がると光量が３倍となる等変更可能である。同様に図４に示す例では光量を１段下げると光量は１／２倍となるとしたが、これに限定されるものではなく、光量が１段上がると光量が１／３倍となる等変更可能である。
【００３７】
例えば、操作部３０を介してカラー撮影が選択された場合、光量決定部５１は、テーブルを参照することで光量を−２段と決定する。また、例えば、カラー撮影が選択されるとともに操作部３０により＋２段の光量調整値が入力された場合、光量決定部５１は光量を０段と決定する。
【００３８】
Ｄ／Ａ値決定部５２は光量決定部５１が決定した光量に基づいてＤ／Ａコンバータ４７に入力する信号の値である基準Ｄ／Ａ値を決定する。具体的には、Ｄ／Ａ値決定部５２はテーブル４を参照することで基準Ｄ／Ａ値を決定する。例えば、光量決定部５１により光量が１段と決定された場合、Ｄ／Ａ値決定部５２は基準Ｄ／Ａ値を５１０と決定する。なお、Ｄ／Ａ値決定部５２の動作はこれに限定されるものではなく、例えば、光量決定部５１により決定された光量を用いずに、操作部３０を介して入力された撮影モードもしくは撮影モードおよび光量調整値に基づいて直接基準Ｄ／Ａ値を決定することとしてもよい。
【００３９】
積分回数決定部５３は光量決定部５１で決定された光量を計測するために必要な積分回路４１による積分回数を決定する。ここで積分回数とは、積分コンデンサ４０がリセットされた状態から積分回路４１の出力がＤ／Ａコンバータ４７から出力される基準電圧を超えることでコンパレータ４６の出力が反転した（変化した）回数を指す。言い換えれば、積分回数とは積分コンデンサ４０がリセットされた状態から積分回路４１の出力がＤ／Ａコンバータ４７から出力される基準電圧を超えた回数である。
【００４０】
例えば、光量決定部５１により光量が１段と決定され、Ｄ／Ａ値決定部５２によりＤ／Ａ値が５１０と決定された場合、積分回数決定部５３は、Ｄ／Ａコンバータ４７の最大出力時の入力である２５５によってＤ／Ａ値決定部５２によって決定された基準Ｄ／Ａ値を除する。ここでは、積分回数決定部５３は積分回数を２回と決定する。なお、除算の結果に余りがある場合には、積分回数決定部５３は積分回数を１回足す。なお、Ｄ／Ａコンバータ４７の最大出力時の入力である２５５によってＤ／Ａ値決定部５２によって決定された基準Ｄ／Ａ値を除することとしたが、これに限定されるものではない。例えば、２５５ではなく他の値でＤ／Ａ値決定部５２によって決定された基準Ｄ／Ａ値を除することとしてもよい。すなわち、積分回数決定部５３は光量決定部によって決定された光量と第１基準値とに基づいて積分部が行うべき積分の回数を決定する積分回数決定部の一例に相当する。
【００４１】
積分回数計数部５４は積分回数を計数する。具体的には、積分回数計数部５４はＤ／Ａコンバータ４７から出力される基準電圧を積分回路４１の出力が超えることでコンパレータ４６の出力が反転した回数を計数する。
【００４２】
リセットＤ／Ａ値設定部５５はＤ／Ａコンバータ４７にＤ／Ａ値を設定する。具体的には、積分回数決定部５３が基準Ｄ／Ａ値を除するのに用いた値をＤ／Ａコンバータ４７に設定（入力）する。例えば、リセットＤ／Ａ値設定部５５はＤ／Ａコンバータ４７に入力できる最大のＤ／Ａ値である２５５をＤ／Ａコンバータ４７に入力する。
【００４３】
比較部５８は積分回数計数部５４によって計数された積分回数ｃｏｕｎｔと積分回数決定部５３によって決定された積分回数Ｎとを比較する。
【００４４】
停止Ｄ／Ａ値設定部５６はＤ／Ａコンバータ４７にＤ／Ａ値を設定する。具体的には比較部５８によって積分回数計数部５４によって計数された積分回数と積分回数決定部５３によって決定された積分回数との差が１の場合、Ｄ／Ａコンバータ４７にＤ／Ａ値を設定する。なお、Ｄ／Ａコンバータ４７に設定するＤ／Ａ値は、積分回数決定部５３による除算の結果の余りの値である。また、積分回数決定部５３による除算の結果の余りが０の場合には、基準Ｄ／Ａを除した値をＤ／Ａコンバータ４７に設定する。
【００４５】
リセット制御部５９は積分回路４１の出力をリセットする。具体的には、リセット制御部５９は、積分回路４１の出力がＤ／Ａコンバータ４７の出力を超えることでコンパレータ４６の出力が反転した場合、アナログスイッチ４４をＯＮさせて積分コンデンサ４０の電荷を放電することで積分回路４１の出力をリセットする。また、リセット制御部５９は、積分回路の出力がリセットされることにより積分回路４１の出力がＤ／Ａコンバータ４７の出力を下回ることでコンパレータ４６の出力が反転した場合、アナログスイッチ４４をＯＦＦさせる。リセット制御部５９はＨｉの信号をアナログスイッチ４４に出力することでアナログスイッチ４４をＯＮさせ、Ｌｏｗの信号をアナログスイッチ４４に出力することでアナログスイッチ４４をＯＦＦさせる。なお、アナログスイッチ４４として、Ｈｉの信号が入力された時にＯＦＦしＬｏｗの信号が入力された時にＯＮするスイッチを用いることとしてもよい。
【００４６】
発光制御部５７はキセノン管３の発光を制御する。操作部３０を介して操作者により撮影が開始されると、発光制御部５７はＸｅ＿ＯＮ信号をＨｉにしてＩＧＢＴ３２をＯＮさせることでキセノン管３の発光を開始させる。また、比較部５８によって積分回数計数部５４によって計数された積分回数ｃｏｕｎｔと積分回数決定部５３によって決定された積分回数Ｎとが等しい場合、発光制御部５７はＸｅ＿ＯＮ信号をＬｏｗにしてＩＧＢＴ３２をＯＦＦさせることでキセノン管３の発光を停止させる。すなわち、発光制御部５７は、光源の発光を制御する発光制御部の一例に相当する。
【００４７】
次に、撮影開始からキセノン管３の発光停止までの動作を図５に示すフローチャートを用いて説明する。
【００４８】
まず前提として、操作者は操作部３０のモードスイッチ（不図示）を操作しカラー撮影か自発蛍光撮影を選択する。カラー撮影が選択された場合は、ＣＰＵ２１は自発蛍光撮影用の励起フィルター４８を光軸から退避させる。また操作部３０の光量調整スイッチ（不図示）を操作し撮影時の光量調整値を設定する。なお、これらの操作は後述のアライメントあるいはピント合わせの最中または終了後に行ってもよい。
【００４９】
次に表示部２０上の表示された赤外観察用光源の赤外ＬＥＤ１により照明された被検眼Ｅの眼底像と位置合わせ指標用光源の赤外ＬＥＤ２２により被検眼Ｅの角膜に投影された位置合わせ指標像により眼底カメラと被検眼Ｅのアライメントを行う。また、合焦用指標光源の赤外ＬＥＤ１４の指標像によりピント合わせを行う。アライメントおよびピント合わせが完了すると操作者は操作部３０の撮影スイッチ（不図示）を押し撮影を開始させる。
【００５０】
ステップ１では、撮影スイッチが押されると赤外観察モードから静止画撮影モードに移行するためにＣＰＵ２９は赤外ＬＥＤ１、赤外ＬＥＤ２２、赤外ＬＥＤ１４を消灯させ合焦用指標投影光学系Ｏ２を照明光学系Ｏ１の光軸上から退避させる。また、ＣＰＵ２１は、自発蛍光撮影が選択されている場合は自発蛍光撮影用の阻止フィルター４９を光軸内に挿入する。
【００５１】
ステップ２では、光量決定部５１が設定された撮影モードと光量補正値から発光光量を決定する。例えば自発蛍光撮影で−０．５段補正の場合の撮影光量は＋１．５段になる。
【００５２】
ステップ３では、積分回数決定部５３が積分回数Ｎを決定する。まず、Ｄ／Ａ値決定部５２が、光量決定部５１によって決定された光量の段数から図４のデーブルより基準Ｄ／Ａ値を決定する。今回の発光光量は＋１．５段のため積分回路出力電圧は１４．１Ｖ、この時の基準Ｄ／Ａ値は７２１となる。
【００５３】
次に、積分回数決定部５３は、Ｄ／Ａコンバータ４７の最大設定値は２５５であるため２５５でＤ／Ａ値決定部５２により決定された基準Ｄ／Ａ値を割る。すると、７２１／２５５＝２余り２１１となる。積分回数Ｎは商である２となり、さらに除算の結果に余りがある場合はＮに１加算する。すなわち、積分回数決定部５３は積分回数Ｎを３と決定する。つまりＤ／Ａ値２５５＝５Ｖまでの積分を２回、Ｄ／Ａ値２１１＝４．１Ｖまでの積分を１回行うと積分回路出力電圧１４．１Ｖまで積分を行うことと等価になる。なお、積分回数決定部５３は、デジタル値を用いずに、１４．１Ｖを５Ｖで除算することで積分回数を求めることとしてもよい。
【００５４】
ステップ４では、積分回数計数部５４が計数した積分回数を示す値ｃｏｕｎｔを０に初期化する。
【００５５】
ステップ５では、リセットＤ／Ａ値設定部５５が積分回路をリセットするためのＤ／Ａ値を最大値の２５５に設定する。すなわち、リセットＤ／Ａ値設定部５５はＤ／Ａコンバータ４７の入力にデジタル値２５５を入力する。
【００５６】
ステップ６では、ＣＰＵ２９はアナログスイッチ４４をＯＦＦにし積分回路のリセットを解除する。
【００５７】
ステップ７では、発光制御部がＸｅ＿ＯＮ信号をＨｉにしてＩＧＢＴ３２をＯＮする。ＩＧＢＴ３２をＯＮにすることで、キセノン管３にトリガーがかかり発光が開始される。
【００５８】
ステップ８では、ＣＰＵ２９はコンパレータ４６の出力がＬｏｗになるまで待ち、Ｌｏｗになったらステップ９に移行する。
【００５９】
ステップ９では、コンパレータ４６の出力がＬｏｗになると積分回数計数部５４がｃｏｕｎｔに１を加算する。
【００６０】
ステップ１０では、比較部５８がステップ３で設定した積分回数Ｎと積分回数計数部５４によって計数された積分回数ｃｏｕｎｔとを比較しｃｏｕｎｔがＮ未満の場合はステップ１１に移行する。
【００６１】
ステップ１１では、リセット制御部５９がアナログスイッチ４４を発光時間に対して十分短い時間だけＯＮにし積分回路の出力を一旦リセット（初期化）させる。アナログスイッチ４４をＯＮにすることで積分コンデンサ４０に蓄積されていた電荷が放電され積分回路の電圧は０Ｖになるのでコンパレータ４６の出力はＨｉに戻る。すなわち、アナログスイッチ４４は、比較部による比較の結果、積分値が第１基準値を超える度に積分値を初期化する初期化部の一例として機能する。
【００６２】
ステップ１２では、比較部５８は積分回数決定部５３によって決定された積分回数Ｎと積分回数計数部５４によって計数された積分回数ｃｏｕｎｔとを比較することで、Ｎ−ｃｏｕｎｔ≠１であるか否かを判定する。ここで、Ｎ−ｃｏｕｎｔ≠１の場合はステップ８に移行し、Ｎ−ｃｏｕｎｔ＝１になるまでステップ８からステップ１２が繰り返される。なお、Ｎ−ｃｏｕｎｔ＝１の場合はステップ１３に移行する。
【００６３】
ステップ１３では、停止Ｄ／Ａ値設定部５６はキセノン管３の発光を停止させるためのＤ／Ａ値をＤ／Ａコンバータ４７に設定するこの時の設定値はステップ３での割り算での余りである２１１を設定する。
【００６４】
ステップ１３が終了するとステップ８に移行し、再びステップ８からステップ１０が実行される。スすなわち、比較部は、積分部による積分回数が所定回数（Ｎ−１）となった場合、積分部による積分値と第２基準値とを比較する。所定回数は、積分回数決定部により決定された積分部が行うべき積分の回数から１を減算した値である。なお、ステップ１０でｃｏｕｎｔ＝Ｎになるとステップ１４に移行する。
【００６５】
ステップ１４では、発光制御部５７はＸｅ＿ＯＮ信号をＬｏｗにしてＩＧＢＴ３２をＯＦＦにすることでキセノン管３の発光を停止させる。すなわち、発光制御部は、比較部による比較の結果、積分部による積分値が第２基準値を超えると光源の発光を停止させる。
【００６６】
キセノン管３の発光停止後のステップ１５では、撮像手段１７の出力から画像信号処理部１９が撮影モードに応じた静止画を生成し、ＣＰＵ２９が静止画を記録部３１に保存する。そしてステップ１６でＣＰＵ２９の制御により静止画撮影モードから赤外観察モードに移行する。
【００６７】
ここでステップ７の発光からステップ１４の発光停止までの動作を図６のタイミングチャートにて説明する。
【００６８】
図６は光量の時間的変化および積分回路の出力電圧を示す。なお、図６に示す例ではＮ＝３，リセットＤ／Ａ値は２５５（５Ｖ）である。また、初期状態においてｃｏｕｎｔ＝０である。
【００６９】
上述したように、ステップ７で、発光制御部５７がＸｅ＿ＯＮをＨｉにするとキセノン管３は発光開始する、ステップ８でコンパレータ４６の出力がＬｏｗ（積分回路出力電圧＝５Ｖ）になるとステップ９でｃｏｕｎｔ＝１になるがｃｏｕｎｔ＜Ｎなのでステップ１１で積分回路の出力はリセットされ、コンパレータ４６の出力はＨｉに戻る（積分回路出力＝０Ｖ）。
【００７０】
同様に次のステップ８でコンパレータ４６の出力がＬｏｗ（積分回路出力電圧＝５Ｖ）になるとステップ９でｃｏｕｎｔ＝２になるがｃｏｕｎｔ＜Ｎなのでステップ１１で積分回路の出力はリセットされ、コンパレータ４６の出力はＨｉ（積分回路出力＝０Ｖ）に戻る。Ｎ−ｃｏｕｎｔ＝１のためステップ１３で、停止Ｄ／Ａ値設定部５６は、Ｄ／Ａ値２１１（４．１Ｖ）をＤ／Ａコンバータ４７に設定する。
【００７１】
次のステップ８でコンパレータ４６の出力がＬｏｗ（積分回路出力電圧＝４．１Ｖ）になるとステップ９でｃｏｕｎｔ＝３になるｃｏｕｎｔ＝Ｎとなるので、ステップ１４で制御部がＸｅ＿ＯＮをＬｏｗにしてキセノン管３の発光を停止する。
【００７２】
本来は積分回路の出力が１４．１Ｖになった時にキセノン管３の発光を停止させたいが、コンパレータ４６では５Ｖまでの比較しかできないため５Ｖまでの積分を２回、４．１Ｖまでの積分を１回行うことで、５Ｖ×２＋４．１Ｖ＝１４．１Ｖとなり１４．１Ｖまで積分した時と等価になり、目標の発光光量を得ることができる。
【００７３】
なお、開示の技術は上述した実施形態に限定されるものではなく、本実施形態の趣旨を逸脱しない範囲で種々変形して実施することができる。
【００７４】
例えば、本実施例はリセットするＤ／Ａ値と発光停止Ｄ／Ａ値とを異なる値、すなわち第１基準値と第２基準値とをとなる値にしていたが、同じＤ／Ａ値にしてもよい。例えば、上記実施例における発光光量では積分回路の出力電圧が１４．１Ｖであるので１４．１Ｖ／３＝４．７Ｖとなるので４．７Ｖまでの積分を３回行えば１４．１Ｖまでの積分と等価になる。この場合、積分回数決定部５３は、余りを出さないように、Ｄ／Ａ値決定部５２により決定された基準Ｄ／Ａ値７２１をＤ／Ａコンバータ４７が５Ｖを出力するときの入力である２５５以下の値で除することで積分回数を決定する。これによりリセットＤ／Ａ値設定部５５および停止Ｄ／Ａ値設定部５６は同じ値である停止Ｄ／Ａ値および停止Ｄ／Ａ値をそれぞれＤ／Ａコンバータ４７に設定する。この時の発光量と積分回路の出力電圧波形を図７に示す。
【００７５】
なお、積分回数，リセットＤ／Ａ値および停止Ｄ／Ａ値のうち少なくとも１つを、操作部３０を介して設定可能に構成してもよい。
【００７６】
また、本実施例では観察光源はＬＥＤであるが、これに限定されるものではなくキセノン管を観察光源として用いることとしてもよい。この場合、観察光源であるキセノン管に対してもキセノン管駆動回路２４および光量検出部２８を設けることで観察光量を制御することが可能となる。
【００７７】
また、本実施例では自発蛍光撮影やカラー撮影等の撮影モードに応じて発光光量を決定しているが、これに限定されるものではない。例えば、ＩＳＯ感度に応じて発光光量を決定することとしてもよい。
【００７８】
さらに、本実施例では、ＣＰＵ２９を用いて種々の処理を行うこととしたが、これに限定されるものではなく。上述の機能を達成できる処理装置であれば構わない。例えば、ＣＰＵの代わりにＦＰＧＡ（Ｆｉｅｌｄ  Ｐｒｏｇｒａｍｍａｂｌｅ  Ｇａｔｅ  Ａｒｒａｙ）を用いることとしてもよい。
【００７９】
また、積分コンデンサ４０を複数並列に備えることとしてもよい。例えば、異なる値の積分コンデンサ４０を複数備え、光量に応じて複数の積分コンデンサ４０を選択的に用いて発光光量の積分を行うか決定することとしてもよい。具体的には発光光量が小さい場合には複数の積分コンデンサ４０のうち容量の大きな積分コンデンサ４０を選択することで、発光光量の小さい場合でも積分回路４１の出力が低下することを防止できる。積分回路４１の出力の低下を防止することができるので基準電圧の低下も防止できる。従って積分回路４１の出力や基準電圧はノイズによる影響を受けづらくなり、精度良く発光光量の調整を行うことが可能となる。なお、複数の積分コンデンサ４０から任意のコンデンサを選択するために、例えば積分コンデンサ４０と積分回路４１との間にスイッチを設ける。
【００８０】
ここで、本眼科装置の効果を説明するために積分回路のリセットを行わない場合のキセノン管３の発光光量と積分回路の出力電圧の関係を示す。図８はキセノン管３の発光光量と積分回路４１の出力電圧の関係を示すグラフで、上側がキセノン管３の光量に比例したフォトダイオード３９に流れる光電流で下側がフォトダイオード３９に流れる光電流を積分回路で積分した時の積分回路４１の出力電圧である。なお、Ｄ／Ａコンバータの出力電圧範囲は０〜５Ｖと仮定する。
【００８１】
カラー撮影時の光量補正範囲が標準光量±２段と仮定すると、カラー撮影時の最大光量は標準光量＋２段補正の時になる。カラー撮影時の最大光量時に積分回路４１の出力電圧が５Ｖとなるように積分コンデンサ４０の容量を決定すると、積分回路４１の出力が５Ｖを超えた時にキセノン管３の電流を遮断すると必要なカラー撮影時の最大発光光量が得られる。
【００８２】
カラー撮影時の標準光量は最大光量の１／４（−２段）のため積分回路４１の出力電圧が１．２５Ｖになった時にキセノン管３の電流を遮断する必要な発光光量が得られる。
【００８３】
カラー撮影時の最小光量は標準光量−２段補正となり標準光量のさらに１／４（−２段）のため積分回路４１の出力が約０．３１Ｖの時にキセノン管３の電流を遮断すると最小発光光量が得られる。自発蛍光撮影時の標準光量はカラー撮影時の８倍（＋４段）の光量が必要と仮定した場合カラー撮影時の最大光量の４倍となり積分回路の出力が２０Ｖになる。このときはＤ／Ａコンバータ４７の最大出力を越えてしまうため、コンパレータ４６による比較が出来なくなってしまう。図８においてはカラー撮影の最大光量を超えてしまうとＤ／Ａコンバータ４７の最大出力を超えてしまい光量の制御ができなくなってしまう。
【００８４】
また、逆に自発蛍光に必要な光量を基準に積分回路の出力が５Ｖとなるように積分コンデンサの容量を大きく設定した場合、カラー撮影の最小光量は自発蛍光撮影の光量の１／６４（−６段）となり積分回路の出力は約７８ｍＶと５Ｖと比較して非常に小さい値になる、そのため最小光量付近では基準電圧の分解能が低下し光量制御の精度が低くなってしまう。また電圧が低いとノイズの影響も受けやすくなる。
【００８５】
なお、撮影モードに応じてフォトダイオードの前にフィルター等の光学的な光量制限部材を切り替える方法もあるが、切替機構が必要となり、高価で複雑な装置になってしまう。
【００８６】
このように本眼科装置によれば、積分回路の出力電圧が発光を停止するための基準電圧の最大値を超えるような場合でも、キセノン管の発光途中で積分回路のリセットを行い、複数回積分を行うことにより発光光量の調整を行うことが出来る。すなわち、本眼科装置によれば、基準電圧と積分回路の出力との関係よらず光量調整を可能とする。
【００８７】
また、本眼科装置によれば、撮影光量として大きい光量が必要な場合に合わせて積分コンデンサを大きくする必要がないため、上述のごとき基準電圧の分解能が低下し光量制御の精度が低くなってしまうこと避けることができる。
【００８８】
さらに、本眼科装置によれば、上述のごとき切替機構を設ける必要がないため高価で複雑な装置になってしまうことを避けることができる。
【００８９】
〔その他〕
また、本件は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９０】
３  キセノン管
２４  キセノン管駆動回路
２８  光量検出部
２９  ＣＰＵ
３２  ＩＧＢＴ
３９  フォトダイオード
４０  積分コンデンサ
４１  積分回路
４３  リセット抵抗
４４  アナログスイッチ
４５  オペアンプ
４６  コンパレータ
４７  Ｄ／Ａコンバータ
５１  光量決定部
５２  Ｄ／Ａ値決定部
５３  積分回数決定部
５４  積分回数計数部
５５  リセットＤ／Ａ値設定部
５６  停止Ｄ／Ａ値設定部
５７  発光制御部
５８  比較部
５９  リセット制御部
【図１】
0005989978.tif 000002
【図２】
0005989978.tif 000003
【図３】
0005989978.tif 000004
【図４】
0005989978.tif 000005
【図５】
0005989978.tif 000006
【図６】
0005989978.tif 000007
【図７】
0005989978.tif 000008
【図８】
0005989978.tif 000009